(57)【要約】【解決手段】ダネッジ段積みシステムにおいて、ダネッジＤをパレットＰに載置した後、一番上に位置するダネッジにカバー部材Ｃを載置し、次いで、前記カバー部材にトップフレームＴを載置し、且つ、前記カバー部材に形成されたトップフレーム係止用突状部ｃ３〜ｃ５が、前記トップフレームの窓部ｔ４に嵌合されるように構成したものである。【効果】上に位置するトップフレームが、下に位置するカバー部材に対して、水平方向に移動するようなことがなく、従って、段積みユニットが安定化するとともに、安定した状態で、段積みユニットにバンド掛けを行うことができる。【選択図】図１０
2005138855.tif 000002
【特許請求の範囲】
【請求項１】
ダネッジをパレットに載置した後、一番上に位置するダネッジにカバー部材を載置し、次いで、前記カバー部材にトップフレームを載置し、且つ、前記カバー部材に形成されたトップフレーム係止用突状部が、前記トップフレームの窓部に嵌合されるように構成されたことを特徴とするダネッジ段積みシステム。
【請求項２】
ダネッジをパレットに載置した後、一番上に位置するダネッジにカバー部材を載置し、次いで、前記カバー部材にトップフレームを載置し、且つ、前記カバー部材に形成されたトップフレーム係止用突状部が、前記トップフレームの窓部に嵌合されるように構成するとともに、前記トップフレームの上にパレットを載置した際に、前記トップフレームを越えて上方に突出している、前記カバー部材に形成されたパレット係止用突状部が、上に位置するパレットの下部デッキボードに形成された開口部に嵌合するように構成されたことを特徴とするダネッジ段積みシステム。
【請求項３】
パレットに載置されたダネッジのうち、一番上に位置するダネッジに載置されるカバー部材であって、該カバー部材には、該カバー部材に載置されるトップフレームの窓部に嵌合可能なトップフレーム係止用突状部が突設されていることを特徴とするダネッジ段積みシステム用カバー部材。
【請求項４】
パレットに載置されたダネッジのうち、一番上に位置するダネッジに載置されるカバー部材であって、該カバー部材には、該カバー部材に載置されるトップフレームの窓部に嵌合可能なトップフレーム係止用突状部が突設されているとともに、前記トップフレームに載置されるパレットの下部デッキボードに形成されている開口部に嵌合可能なパレット係止用突状部が突設されていることを特徴とするダネッジ段積みシステム用カバー部材。
【発明の詳細な説明】
【技術分野】
【０００１】
本発明は、物品が収納されたダネッジを、パレットに、複数個、段積みするように構成されたダネッジ段積みシステム及び該ダネッジ段積みシステムに使用されるカバー部材に関するものである。
【背景技術】
【０００２】
従来、パレットに、物品が収納されたダネッジを、複数個、段積みし、このように段積みされた一番上に位置するダネッジに、パレットを載置し、更に、該パレットに、物品が収納されたダネッジを、複数個、段積みするように構成されたダネッジ段積みシステムが、特許文献１に開示されており、また、一番上に位置する物品に、敷板を被せ、該敷板の上に、上押え板を載置するように構成されたダネッジ段積みシステムが、特許文献２に開示されている。
【特許文献１】特開平１１−２７８４５３号公報
【特許文献２】特開２０００−２８９７４１号公報
【発明の開示】
【発明が解決しようとする課題】
【０００３】
上述した特許文献１に開示されているダネッジ段積みシステムにおいては、一番上に位置するダネッジの上に、直に、パレットを載置するために、強度や剛性が十分でないダネッジが撓み、従って、一番上に位置するダネッジの上に載置されるパレットや該パレットに段積みされるダネッジを安定した状態で段積みすることができないという問題があった。
【０００４】
上述した特許文献２に開示されているダネッジ段積みシステムにおいては、一番上に位置するダネッジに、上押え板を載置するように構成されているが、上押え板の上に、更に、パレットを載置した際には、上押え板の上面が平坦であり、上押え板とパレットとの嵌合関係が何ら考慮されていないために、上押え板に載置されたパレットが、上押え板に対して、ずれ易く、従って、パレットや該パレットに段積みされる物品を安定した状態で段積みすることができないという問題があった。
【０００５】
本発明の目的は、上述した従来のダネッジ段積みシステムが有する課題を解決するとともに、該ダネッジ段積みシステムに使用されるカバー部材を提供することにある。
【課題を解決するための手段】
【０００６】
本発明は、上述した目的を達成するために、ダネッジ段積みシステムにおいて、第１には、ダネッジをパレットに載置した後、一番上に位置するダネッジにカバー部材を載置し、次いで、前記カバー部材にトップフレームを載置し、且つ、前記カバー部材に形成されたトップフレーム係止用突状部が、前記トップフレームの窓部に嵌合されるように構成したものであり、第２には、ダネッジをパレットに載置した後、一番上に位置するダネッジにカバー部材を載置し、次いで、前記カバー部材にトップフレームを載置し、且つ、前記カバー部材に形成されたトップフレーム係止用突状部が、前記トップフレームの窓部に嵌合されるように構成するとともに、前記トップフレームの上にパレットを載置した際に、前記トップフレームを越えて上方に突出している、前記カバー部材に形成されたパレット係止用突状部が、上に位置するパレットの下部デッキボードに形成された開口部に嵌合するように構成したものである。
【０００７】
また、本発明は、上述した目的を達成するために、パレットに載置されたダネッジのうち、一番上に位置するダネッジに載置されるカバー部材に、該カバー部材に載置されるトップフレームの窓部に嵌合可能なトップフレーム係止用突状部を突設したものである。
【０００８】
更に、本発明は、上述した目的を達成するために、パレットに載置されたダネッジのうち、一番上に位置するダネッジに載置されるカバー部材に、該カバー部材に載置されるトップフレームの窓部に嵌合可能なトップフレーム係止用突状部を突設するとともに、前記トップフレームに載置されるパレットの下部デッキボードに形成されている開口部に嵌合可能なパレット係止用突状部を突設したものである。
【発明の効果】
【０００９】
ダネッジをパレットに載置した後、一番上に位置するダネッジにカバー部材を載置し、次いで、前記カバー部材にトップフレームを載置し、且つ、前記カバー部材に形成されたトップフレーム係止用突状部が、前記トップフレームの窓部に嵌合されるように構成したので、上に位置するトップフレームが、下に位置するカバー部材に対して、水平方向に移動するようなことがなく、従って、段積みユニットが安定化するとともに、安定した状態で、段積みユニットにバンド掛けを行うことができる。
【００１０】
トップフレームの上にパレットを載置した際に、トップフレームを越えて上方に突出している、カバー部材に形成されたパレット係止用突状部が、上に位置するパレットの下部デッキボードに形成された開口部に嵌合するように構成したので、トップフレームに載置されたパレットの水平方向への移動が阻止され、従って、複数の段積みユニットを、安定した状態で、積み重ねることができるとともに、安定した状態で、段積みユニットにバンド掛けを行うことができる。
【００１１】
カバー部材には、該カバー部材に載置されるトップフレームの窓部に嵌合可能なトップフレーム係止用突状部が突設されているとともに、トップフレームに載置されるパレットの下部デッキボードに形成されている開口部に嵌合可能なパレット係止用突状部が突設されているので、トップフレーム及びパレットの水平方向への移動を阻止することができ、従って、段積みユニットが安定化するとともに、安定した状態で、段積みユニットにバンド掛けを行うことができる。
【実施例】
【００１２】
以下に、本発明の実施例について説明するが、本発明の趣旨を越えない限り、何ら、本実施例に限定されるものではない。
【００１３】
図１及び図２において、Ｐは、パレットであり、パレットＰは、上部デッキボードｐ１と下部デッキボードｐ２とを有しており、上部デッキボードｐ１と下部デッキボードｐ２とは、上部デッキボードｐ１と下部デッキボードｐ２の隅部に位置する隅桁ｐ３、隅桁ｐ３の中間部に位置する中間桁ｐ４及び上部デッキボードｐ１と下部デッキボードｐ２の中央部に位置する中央桁ｐ５とにより連結されている。また、下部デッキボードｐ２の隅桁ｐ３と中間桁ｐ４と中央桁ｐ５とで囲まれた領域には、略方形状の開口部ｐ６が形成されているとともに、隅桁ｐ３と中間桁ｐ４との間及び中間桁ｐ４と中央桁ｐ５との間には、フォーク挿入用開口ｐ７が形成されている。
【００１４】
図３において、Ｄは、真空成形や圧縮成形により成形されるダネッジであり、ダネッジＤの平面視の大きさは、パレットＰの平面視の大きさと略同じに形成されている。ダネッジＤには、物品Ｇが収納される物品収納凹部ｄ１が、複数、形成されている。また、所定の物品収納凹部ｄ１を形成する底板ｄ１ａには、底板ｄ１ａを下方に膨出させることにより形成された、図示されていない嵌合凸部が形成されており、この嵌合凸部は、ダネッジＤを、パレットＰの上部デッキボードｐ１に載置した際に、パレットＰの上部デッキボードｐ１に形成された、図示されていない透孔や凹部に嵌合されるように構成されており、ダネッジＤの嵌合凸部を、パレットＰの上部デッキボードｐ１に形成された透孔や凹部に嵌合することにより、パレットＰの上部デッキボードｐ１に載置されたダネッジＤが、ずれないように構成されている。
【００１５】
図４〜図７において、Ｃは、真空成形や圧縮成形により成形されるカバー部材であり、カバー部材Ｃの平面視の大きさも、パレットＰの平面視の大きさと略同じに形成されている。カバー部材Ｃは、カバー部材Ｃに載置されるパレットＰの下部デッキボードｐ２に形成された４個の略方形状の開口部ｐ６に対応して、図５において二点鎖線で示されている４つの略方形状の仮想領域Ａ１を有しており、各仮想領域Ａ１の４つの隅部ａ１〜ａ４のうち、カバー部材Ｃの中央部付近に位置する隅部ａ４を除く、３つの隅部ａ１〜ａ３には、カバー部材Ｃの板部ｃ１を、上方に膨出させることにより、パレット係止用突状部ｃ２が、それぞれ形成されている。
【００１６】
上述したカバー部材Ｃの４つの仮想領域Ａ１の中央部付近に位置する隅部ａ４を除く、３つの隅部ａ１〜ａ３に形成されたパレット係止用突状部ｃ２は、カバー部材Ｃの上に、パレットＰが載置された際には、パレットＰの下部デッキボードｐ２に形成された開口部ｐ６の４つの隅部ｐ６ａ〜ｐ６ｄのうち、下部デッキボードｐ２の中央部付近に位置する隅部ｐ６ｄを除く、３つの隅部ｐ６ａ〜ｐ６ｃに、それぞれ嵌合するように構成されており、従って、カバー部材Ｃに載置されたパレットＰの水平方向への移動が阻止されることになる。
【００１７】
図８において、Ｔは、トップフレームであり、額縁状の周枠ｔ１と、周枠ｔ１を構成する一方の相対する枠部ｔ１ａの中央部を連結する区画枠部ｔ２と、周枠ｔ１を構成するもう一方の相対する枠部ｔ１ｂの中央部を連結する区画枠部ｔ３とを有しており、額縁状の周枠ｔ１と区画枠部ｔ２、ｔ３とにより、４つの略方形状の窓部ｔ４が形成されている。トップフレームＴの平面視の大きさも、パレットＰやダネッジＤやカバー部材Ｃの平面視の大きさと略同じに形成されている。後述するように、バンド掛けした際に、一番下に位置するパレットＰと一番上に載置されるトップフレームＴとの間にバンドが掛けられ、強度や剛性が十分でないダネッジＤやカバー部材Ｃには、大きな負荷が加わらないように構成されている。
【００１８】
カバー部材Ｃは、トップフレームＴに形成された４つの窓部ｔ４に対応して、図５において点線で示されている４つの略方形状の仮想領域Ａ２を有しており、各仮想領域Ａ２の中央部付近に位置する隅部ａ５には、カバー部材Ｃの板部ｃ１を、上方に膨出させることにより、トップフレーム係止用突状部ｃ３が形成されており、また、カバー部材Ｃの板部ｃ１の周縁ｃ１ａ側に位置する仮想領域Ａ２の辺部ａ６、ａ７の中央部付近にも、カバー部材Ｃの板部ｃ１を、上方に膨出させることにより、仮想領域Ａ２内で、且つ、辺部ａ６、ａ７に沿って、トップフレーム係止用突状部ｃ４、ｃ５が、それぞれ形成されている。
【００１９】
カバー部材Ｃに、トップフレームＴを載置した際には、下に位置するカバー部材Ｃに形成されたトップフレーム係止用突状部ｃ３が、上に位置するトップフレームＴの窓部ｔ４の中央部付近に位置する隅部ｔ４ａに嵌合され、また、下に位置するカバー部材Ｃに形成されたトップフレーム係止用突状部ｃ４、ｃ５が、上に位置するトップフレームＴの窓部ｔ４の周縁ｔ４ｂに近接して位置するように構成されている。従って、上に位置するトップフレームＴが、下に位置するカバー部材Ｃに対して、水平方向に移動しないように構成されている。
【００２０】
カバー部材Ｃに形成されたトップフレーム係止用突状部ｃ３〜ｃ５は、略同じ高さに形成されており、且つ、トップフレーム係止用突状部ｃ３〜ｃ５の高さＨ１は、トップフレームＴの厚さＤ１以下に形成されており、また、カバー部材Ｃに形成されたパレット係止用突状部ｃ２の高さＨ２は、トップフレームＴの厚さＤ１を越えるように形成されている。従って、カバー部材Ｃに、トップフレームＴを載置し、下に位置するカバー部材Ｃに形成されたトップフレーム係止用突状部ｃ４、ｃ５が、上に位置するトップフレームＴの窓部ｔ４に挿入された際には、図９に示されているように、カバー部材Ｃに形成されたパレット係止用突状部ｃ２は、トップフレームＴを越えて、所定高さＨ３、上方に突出し、また、トップフレーム係止用突状部ｃ３〜ｃ５は、トップフレームＴを越えないように構成されている。
【００２１】
次に、主として、図９〜図１１を用いて、上述したパレットＰ、ダネッジＤ、カバー部材Ｃ及びトップフレームＴを用いたパレットへの物品の段積みシステムについて説明する。
【００２２】
先ず最初に、パレットＰの上部デッキボードｐ１に、物品収納凹部ｄ１に物品Ｇが収納されたダネッジＤを、適当数、載置する。
【００２３】
次いで、段積みされたダネッジＤの一番上に位置するダネッジＤに、カバー部材Ｃを載置する。次いで、段積みされたダネッジＤの一番上に位置するダネッジＤに載置されたカバー部材Ｃに、トップフレームＴを載置するが、この際、下に位置するカバー部材Ｃに形成されたトップフレーム係止用突状部ｃ３が、上に位置するトップフレームＴの窓部ｔ４の中央部付近に位置する隅部ｔ４ａに嵌合され、また、下に位置するカバー部材Ｃに形成されたトップフレーム係止用突状部ｃ４、ｃ５が、上に位置するトップフレームＴの窓部ｔ４の周縁ｔ４ｂに近接して位置するように構成されているので、従って、上に位置するトップフレームＴが、下に位置するカバー部材Ｃに対して、水平方向に移動しないように構成されている。
【００２４】
上述したように、パレットＰに、物品が収納されたダネッジＤが、複数、段積みされ、その上に、カバー部材Ｃが載置され、更に、カバー部材ＣにトップフレームＴが載置されて、パレットＰ、段積みされたダネッジＤ、カバー部材Ｃ及びトップフレームＴにより、段積みユニットＵが構成される。
【００２５】
また、パレットＰのフォーク挿入用開口ｐ７に、バンドＢを挿入するとともに、トップフレームＴにバンドＢを掛けて、バンドＢ端部を結合することにより、パレットＰ、段積みされたダネッジＤ、カバー部材Ｃ及びトップフレームＴからなる段積みユニットＵを、バンドＢで緊諦する。なお、トップフレームＴから突出しているカバー部材Ｃのパレット係止用突状部ｃ２間に、バンドＢを通すことにより、バンドＢが、横方向にずれないように構成されている。
【００２６】
上述したように、パレットＰに、物品Ｇが収納されたダネッジＤを載置した後、一番上に位置するダネッジＤにカバー部材Ｃを載置し、次いで、該カバー部材ＣにトップフレームＴを載置するように構成するとともに、カバー部材Ｃに形成されたトップフレーム係止用突状部ｃ３〜ｃ５が、上に位置するトップフレームＴの窓部ｔ４に嵌合されるように構成されているので、上に位置するトップフレームＴが、下に位置するカバー部材Ｃに対して、水平方向に移動するようなことがなく、従って、段積みユニットＵが安定化するとともに、段積みユニットＵを、パレットＰとトップフレームＴと間で、安定した状態で、バンド掛けすることができる。
【００２７】
また、カバー部材Ｃには、該カバー部材Ｃに載置されるトップフレームＴの窓部ｔ４に嵌合可能なトップフレーム係止用突状部ｃ３〜ｃ５が突設されているので、トップフレームＴの水平方向への移動を阻止することができ、従って、従って、段積みユニットＵが安定化するとともに、段積みユニットＵを、パレットＰとトップフレームＴと間で、安定した状態で、バンド掛けすることができる。
【００２８】
次に、主として、図１２〜図１４を用いて、段積みユニットＵの上に、更に、段積みユニットＵを載置する場合について説明する。
【００２９】
パレットＰに段積みされたダネッジＤのうち、一番上に位置するダネッジＤに載置されたカバー部材Ｃ及びカバー部材Ｃに載置されたトップフレームＴに、更に、パレットＰを載置することになるが、カバー部材Ｃに、トップフレームＴを載置した際には、上述したように、下に位置するカバー部材Ｃに形成されたトップフレーム係止用突状部ｃ４、ｃ５は、上に位置するトップフレームＴの窓部ｔ４に挿入されるが、トップフレームＴを越えて、上方に突出しないように構成されている。一方、下に位置するカバー部材Ｃに形成されたパレット係止用突状部ｃ２は、トップフレームＴを越えて、上方に突出しているので、カバー部材Ｃ及びトップフレームＴに、パレットＰを載置した際には、トップフレームＴを越えて、上方に突出している、カバー部材Ｃに形成されたパレット係止用突状部ｃ２が、パレットＰの下部デッキボードｐ２に形成された開口部ｐ６に嵌合することになるので、従って、カバー部材Ｃ及びトップフレームＴに載置されたパレットＰの水平方向への移動が阻止されることになる。
【００３０】
その後、カバー部材Ｃ及びトップフレームＴに載置されたパレットＰに、上述したと同様に、物品Ｇが収納されたダネッジＤを、複数個、段積みし、また、段積みされたダネッジＤの最上部に位置するダネッジＤに、カバー部材Ｃを載置し、更に、カバー部材Ｃに、トップフレームＴを載置する。
【００３１】
その後、一番下に位置するパレットＰのフォーク挿入用開口ｐ７に、バンドＢを挿入するとともに、一番上に位置するトップフレームＴにバンドＢを掛けて、バンドＢ端部を結合することにより、パレットＰ、段積みされたダネッジＤ、カバー部材Ｃ及びトップフレームＴからなる段積みユニットＵを、２セット、バンドＢで緊諦する。なお、上述したと同様に、一番上に位置するトップフレームＴの下に配置されているカバー部材Ｃのパレット係止用突状部ｃ２間に、バンドＢを通すことにより、バンドが、横方向にずれないように構成されている。
【００３２】
パレットＰに、物品Ｇが収納されたダネッジＤを載置した後、一番上に位置するダネッジＤにカバー部材Ｃを載置し、次いで、該カバー部材ＣにトップフレームＴを載置し、更に、トップフレームＴの上にパレットＰを載置した場合に、トップフレームＴの下に位置するカバー部材Ｃに形成されたパレット係止用突状部ｃ２が、トップフレームＴを越えて、上方に突出しているので、上記のように、トップフレームＴの上にパレットＰを載置した際には、トップフレームＴを越えて、上方に突出している、カバー部材Ｃに形成されたパレット係止用突状部ｃ２が、パレットＰの下部デッキボードｐ２に形成された開口部ｐ６に嵌合することになるので、トップフレームＴに載置されたパレットＰの水平方向への移動が阻止され、従って、複数の段積みユニットＵを、安定した状態で、積み重ねることができるとともに、段積みユニットＵを、安定した状態で、バンド掛けすることができる。
【００３３】
カバー部材Ｃには、該カバー部材Ｃに載置されるトップフレームＴの窓部ｔ４に嵌合可能なトップフレーム係止用突状部ｃ３〜ｃ５が突設されているとともに、前記トップフレームＴに載置されるパレットＰの下部デッキボードｐ２に形成されている開口部ｐ６に嵌合可能なパレット係止用突状部ｃ２が突設されているので、トップフレームＴ及びパレットＰの水平方向への移動を阻止することができ、従って、段積みユニットＵが安定化するとともに、安定した状態で、段積みユニットＵにバンド掛けを行うことができる。
【図面の簡単な説明】
【００３４】
【図１】図１は、本発明のダネッジ段積みシステムを構成する一例としてのパレットの斜視図である。
【図２】図２は、本発明のダネッジ段積みシステムを構成する一例としてのパレットの裏面斜視図である。
【図３】図３は、本発明のダネッジ段積みシステムを構成する一例としてのダネッジの斜視図である。
【図４】図４は、本発明のダネッジ段積みシステムを構成するカバー部材の斜視図である。
【図５】図５は、本発明のダネッジ段積みシステムを構成するカバー部材の平面図である。
【図６】図６は、同じく本発明のダネッジ段積みシステムを構成するカバー部材の平面図である。
【図７】図７は、図６のＩ−Ｉ線に沿った側断面図である。
【図８】図８は、本発明のダネッジ段積みシステムを構成するトップフレームの斜視図である。
【図９】図９は、本発明のダネッジ段積みシステムを構成するカバー部材と該カバー部材に載置されたトップフレームの側断面図である。
【図１０】図１０は、本発明のダネッジ段積みシステムを構成する段積みユニットの分解斜視図である。
【図１１】図１１は、本発明のダネッジ段積みシステムを構成する段積みユニットの正面図である。
【図１２】図１２は、本発明のダネッジ段積みシステムを構成する段積みユニットと更に載置されるパレットの分解斜視図である。
【図１３】図１３は、本発明のダネッジ段積みシステムを構成するカバー部材と該カバー部材に載置されたトップフレームと該トップフレームに載置されたパレットの側断面図である。
【図１４】図１４は、本発明のダネッジ段積みシステムを構成する２セットの段積みユニットの斜視図である。
【符号の説明】
【００３５】
Ｃ・・・・・・・・・・・・・・・・カバー部材
ｃ２・・・・・・・・・・・・・・・パレット係止用突状部
ｃ３〜ｃ５・・・・・・・・・・・・トップフレーム係止用突状部
Ｄ・・・・・・・・・・・・・・・・ダネッジ
Ｇ・・・・・・・・・・・・・・・・物品
Ｐ・・・・・・・・・・・・・・・・パレット
ｐ２・・・・・・・・・・・・・・・下部デッキボード
ｐ６・・・・・・・・・・・・・・・開口部
Ｔ・・・・・・・・・・・・・・・・トップフレーム
ｔ４・・・・・・・・・・・・・・・窓部
【図１】
2005138855.tif 000003
【図２】
2005138855.tif 000004
【図３】
2005138855.tif 000005
【図４】
2005138855.tif 000006
【図５】
2005138855.tif 000007
【図６】
2005138855.tif 000008
【図７】
2005138855.tif 000009
【図８】
2005138855.tif 000010
【図９】
2005138855.tif 000011
【図１０】
2005138855.tif 000012
【図１１】
2005138855.tif 000013
【図１２】
2005138855.tif 000014
【図１３】
2005138855.tif 000015
【図１４】
2005138855.tif 000016